(57)【要約】【課題】気道の内腔に挿入した後、膨張用空気の注入によって円筒状に膨張し、病変による狭窄内腔を拡張する気道用風船カテーテルを提供する。【解決手段】気道に発生した病変によって狭小化された気道内腔を拡張するための気道用風船カテーテルにおいて、内部チューブ１１と、前記内部チューブ１１と離隔した状態で前記内部チューブ１１を取り囲む外部チューブ１２とからなる二重構造のチューブ部１０を形成し、前記内部チューブ１１及び外部チューブ１２の相互端に円筒状風船２０を一体に連結し、前記外部チューブ１２に膨張用気体を供給すれば、円筒状風船２０が膨張しながら狭窄又は狭小化された気道の内腔を拡張すると同時に、内部チューブ１１を通して供給される酸素が円筒状風船２０を通過し、患者が呼吸できるように気道用風船カテーテルを構成する。【選択図】図１
2011056251.tif 000002
【特許請求の範囲】
【請求項１】
気道に発生した病変によって狭小化された気道内腔を拡張するための気道用風船カテーテルにおいて、
内部チューブ（１１）と、前記内部チューブ（１１）と離隔した状態で前記内部チューブ（１１）を取り囲む外部チューブ（１２）とからなる二重構造のチューブ部（１０）を形成し、
前記内部チューブ（１１）及び外部チューブ（１２）の相互端に円筒状風船（２０）を一体に連結し、前記外部チューブ（１２）に膨張用気体を供給すれば、円筒状風船（２０）が膨張しながら狭窄又は狭小化された気道の内腔を拡張すると同時に、内部チューブ（１１）を通して供給される酸素が円筒状風船（２０）を通過し、患者が呼吸できるように構成することを特徴とする気道用風船カテーテル。
【請求項２】
前記円筒状風船（２０）は、合成ビニルを二重に重ねることによって断面「ＵＵ」状に形成される単一体（２１）を含み、前記単一体（２１）のそれぞれの上端は、内部チューブ（１１）及び外部チューブ（１２）の端に連結されることを特徴とする、請求項１に記載の気道用風船カテーテル。
【請求項３】
気道に発生した病変によって狭小化された気道内腔を拡張するための気道用風船カテーテルにおいて、
離隔した内部チューブ（１１）と外部チューブ（１２）との間の空間で円周に沿って分割配列され、長さ方向に内部チューブ（１１）と外部チューブ（１２）とを連結する多数のガイド（１３）間に通路（１４）を形成する二重構造のチューブ部（１０）を形成し、
前記内部チューブ（１１）及び外部チューブ（１２）の相互端に円筒状風船（３０）を一体に連結し、前記外部チューブ（１２）に膨張用気体をそれぞれの通路（１４）を通して供給すれば、円筒状風船（２０）が膨張しながら狭窄又は狭小化された気道の内腔を拡張すると同時に、内部チューブ（１１）を通して供給される酸素が円筒状風船（２０）を通過し、患者が呼吸できるように構成することを特徴とする気道用風船カテーテル。
【請求項４】
前記円筒状風船（３０）は、合成ビニルを二重に重ねることによって断面「ＵＵ」状に形成される単一体（３１）を含み、前記単一体（３１）の円周に沿って分割配列され、長さ方向に形成される多数の膨張部（３２）は、チューブ部（１０）の通路（１４）にそれぞれ連結されることを特徴とする、請求項３に記載の気道用風船カテーテル。
【発明の詳細な説明】
【技術分野】
【０００１】
本発明は、気道用風船カテーテルに関するもので、特に、病変によって狭窄される気道の内腔を広げると同時に、気道を閉鎖しないので、施術の間にも患者が呼吸することができる気道用風船カテーテルに関するものである。
【背景技術】
【０００２】
一般に、内腔狭窄疾患、例えば、気道狭窄疾患は、解部学的損傷部位によって内腔閉鎖、外因性圧縮及び軟化症に分類される。
このような気道疾患のうち、外因性圧縮及び軟化症によって発生する生命を脅かす呼吸困難の救済のためにカテーテル施術が行われている。
すなわち、前記狭窄が発生した気道の内腔を広げるために、膨らんでいない状態のカテーテルを気道の内腔に挿入した後、これを膨張することによって狭窄部位を押し、気道の内腔を確保している。
しかしながら、前記カテーテルは、膨らんで風船状になるので、狭窄気道を拡張する間、患者は呼吸することができないという問題があった。
また、患者の呼吸を考慮した上で施術時間が極短く制限され、安定性が著しく低下するという問題があった。
【発明の概要】
【発明が解決しようとする課題】
【０００３】
本発明は、前記のような従来技術の問題を勘案してなされたもので、その目的は、気道の内腔に挿入した後、膨張用空気の注入によって円筒状に膨張し、病変による狭窄内腔を拡張する気道用風船カテーテルを提供することにある。
さらに、本発明の他の目的は、中空円筒状に膨張されて病変部位を拡張する間、患者が呼吸できるようにする気道用風船カテーテルを提供することにある。
【課題を解決するための手段】
【０００４】
前記のような目的を達成するために、本発明は、気道に発生した病変によって狭小化された気道内腔を拡張するための気道用風船カテーテルにおいて、内部チューブと、前記内部チューブと離隔した状態で前記内部チューブを取り囲む外部チューブとからなる二重構造のチューブ部を形成し、前記内部チューブ及び外部チューブの相互端に円筒状風船を一体に連結し、前記外部チューブに膨張用気体を供給すれば、円筒状風船が膨張しながら狭窄又は狭小化された気道の内腔を拡張すると同時に、内部チューブを通して供給される酸素が円筒状風船を通過し、患者が呼吸できるように構成することを特徴とする気道用風船カテーテルを提供する。
【発明の効果】
【０００５】
本発明に係る気道用風船カテーテルは、気道内腔に挿入した後、膨張用空気の注入によって円筒状に膨張し、病変による狭窄内腔を拡張することができる。
【０００６】
さらに、本発明に係る気道用風船カテーテルは、中空円筒状に膨張されて病変部位を拡張する間、患者が呼吸できるようにするので、安定的な施術を行うことができる。
【図面の簡単な説明】
【０００７】
【図１】本発明に係る気道用風船カテーテルを示す斜視図である。
【図２】図１のＡ部分の縦断面図である。
【図３】図１のＢ部分の縦断面図である。
【図４】本発明の他の実施例に係る気道用風船カテーテルを示す斜視図である。
【図５】図４のＣ部分の縦断面図である。
【図６】図４のＤ部分の縦断面図である。
【図７】図１の気道用風船カテーテルの施術を示す例示図である。
【図８】図４の気道用風船カテーテルの施術を示す例示図である。
【発明を実施するための形態】
【０００８】
以下、本発明の好適な実施例を添付の図面に基づいて詳細に説明する。
本発明の気道用風船カテーテルは、気道３００に発生する病変によって狭窄された気道３００の内腔を拡張するためのもので、拡張施術時、患者が呼吸できるように構成する。
図１〜図３、図７に示すように、本発明の気道用風船カテーテル１００は、チューブ部１０及び円筒状風船２０を含んで構成される。
前記チューブ部１０は、内部チューブ１１と、内部チューブ１１と離隔した状態で内部チューブ１１を取り囲む外部チューブ１２とからなる二重構造である。
このとき、前記内部チューブ１１と外部チューブ１２は、気道３００の内部に挿入されるもので、一端には内部チューブ１１内に酸素を供給する装置（図示せず）に連結するためのコネクタ１１ａが連結され、外部チューブ１２の外周面には内部チューブ１１と外部チューブ１２との間の空間に膨張用気体を供給する装置（図示せず）に連結するための分岐状のコネクタ１２ａが連結される。
このような前記内部チューブ１１及び外部チューブ１２の相互端には円筒状風船２０を一体に連結する。
ここで、前記円筒状風船２０は、合成ビニルを二重に重ねることによって断面「ＵＵ」状に形成される単一体２１を含む。
そして、前記単一体２１のそれぞれの上端のうち内側端は内部チューブ１１の端に連結され、外側端は外部チューブ１２の端に連結される。
すなわち、前記円筒状風船２０は、膨張と収縮が円滑な合成ビニル又は合成ゴムからなり、上部円周端が開放されたドーナツ状に形成される。
図４〜図６、図８に示すように、他の実施例として、本発明の気道用風船カテーテル２００は、チューブ部１０及び円筒状風船３０を含んで構成される。
前記チューブ部１０は、離隔した内部チューブ１１と外部チューブ１２との間の空間で円周に沿って分割配列され、長さ方向に内部チューブ１１と外部チューブ１２とを連結する多数のガイド３０間に通路１４を形成する二重構造である。
このとき、前記チューブ部１０は、射出方式で製造可能なもので、ガイド１３は、内部チューブ１１と外部チューブ１２とを互いに一体に連結することによって強度を補強し、膨張用気体が流動する通路１４を形成するためのものである。
そして、前記円筒状風船３０は、内側端は内部チューブ１１の端に連結され、外側端は外部チューブ１２の端に連結される。
このような円筒状風船３０は、合成ビニルを二重に重ねることによって断面「ＵＵ」状に形成される単一体３１を含む。
さらに、前記単一体３１の円周に沿って分割配列され、長さ方向に形成される多数の膨張部３２は、チューブ部１０の通路１４にそれぞれ連結される。
このとき、前記膨張部３２は、多数のうち一つが破損されて膨張しないとしても、円筒状風船３０を円筒状に維持できるように構成されたものである。
以下、前記のように構成された本発明のカテーテル１００、２００の施術過程と作用を説明する。
図１〜図３、図７に示すように、前記カテーテル１００は、円筒状風船２０に膨張用気体を注入していない状態で酸素及び膨張用気体を注入可能な装置に連結し、患者の口腔を通して病変部位が発生した気道３００の内部に挿入して施術する。
そして、前記カテーテル１００の円筒状風船２０を病変部位に挿入する施術が完了すれば、膨張用気体を外部チューブ１２内に注入しながら内部チューブ１１に酸素を供給する。
このように膨張用気体を注入すれば、気体がチューブ部１０の内部チューブ１１と外部チューブ１２との間の空間に流動しながら円筒状風船２０の内部に充填され、円筒チューブ状に単一体２１が膨張し、病変部位によって狭小化された気道３００の内壁面を四方から押して拡張するようになる。
さらに、前記膨張用気体の注入が完了すれば、外部チューブ１２のコネクタ１２ａの入口を閉鎖し、円筒状風船２０の体積減少を防止する。
すなわち、前記外部チューブ１２に膨張用気体を供給すれば、円筒状風船２０が膨張しながら狭窄又は狭小化された気道の内腔を拡張すると同時に、内部チューブ１１を通して供給される酸素が円筒状風船２０を通過し、患者が呼吸できるようになる。
図４〜図６、図８に示すように、前記カテーテル２００は、円筒状風船３０に膨張用気体を注入していない状態で酸素及び膨張用気体を注入可能な装置に連結し、患者の口腔を通して病変部位が発生した気道３００の内部に挿入して施術する。
そして、前記カテーテル１００の円筒状風船３０を病変部位に挿入する施術が完了すれば、膨張用気体を外部チューブ１２内に注入しながら内部チューブ１１に酸素を供給する。
このように膨張用気体を注入すれば、気体がチューブ部１０のそれぞれの通路１４を通してそれぞれの膨張部３２に流動しながら充填され、円筒チューブ状に単一体３１が膨張しながら、病変部位によって狭小化された気道３００の内壁面を四方から押して拡張するようになる。
さらに、前記膨張用気体の注入が完了すれば、外部チューブ１２のコネクタ１２ａの入口を閉鎖し、円筒状風船３０の体積減少を防止する。
すなわち、前記外部チューブ１２に膨張用気体をそれぞれの通路１４を通して供給すれば、円筒状風船３０が膨張しながら狭窄又は狭小化された気道の内腔を拡張すると同時に、内部チューブ１１を通して供給される酸素が円筒状風船３０を通過し、患者が呼吸できるようになる。
これによって、前記病変が発生し、内腔が狭小化された気道３００を拡張するための既存の風船カテーテルは、気道３００の内腔を閉鎖し、患者が呼吸できない状況であるので、拡張のための施術時間が極短く、複数回にかけて拡張施術を行わなければならない反面、本発明のカテーテル１００、２００は、円筒状に患者の気道３００を開放し、患者の呼吸を維持させることによって施術時間の延長が可能である。
以上、本発明を特定の好適な実施例に基づいて図示して説明したが、本発明は、上述した実施例に限定されるものでなく、本発明の精神を逸脱しない範囲内で当該発明の属する技術分野で通常の知識を有する者によって多様な変更及び修正が可能であろう。
【符号の説明】
【０００９】
１０    チューブ部
１１    内部チューブ
１２    外部チューブ
１３    ガイド
１４    通路
２０、３０    円筒状風船
２１、３１    単一体
３２    膨張部
１００、２００    カテーテル
【図１】
2011056251.tif 000003
【図２】
2011056251.tif 000004
【図３】
2011056251.tif 000005
【図４】
2011056251.tif 000006
【図５】
2011056251.tif 000007
【図６】
2011056251.tif 000008
【図７】
2011056251.tif 000009
【図８】
2011056251.tif 000010